(57)【要約】  本発明は、移動通信システムにおける隣接セルに対する測定を実行する方法を提供する。その方法は、隣接セルからの受信信号に対する測定を実行することによってロー測定結果値を生成するステップと、隣接セルのうち、測定結果、基地局からシグナリングされた絶対しきい値を超えるロー測定結果値を有する第１の隣接セルから、第１の隣接セルのロー測定結果値に適用されるための測定関連パラメータを受信するステップと、第１の隣接セルのロー測定結果値に測定関連パラメータを適用して最終測定結果値を生成するステップと、最終測定結果値によって第１の隣接セルのうちいずれか一つにセル選択又はセル再選択を実行し、あるいはサービングセルの基地局に測定レポートを伝送するステップとを具備する。
2010530198.tif 000002
【特許請求の範囲】
【請求項１】
移動通信システムにおいて隣接セルに対する測定を実行する方法であって、
隣接セルからの受信信号に対する測定を実行することによってロー測定結果値を生成するステップと、
前記隣接セルのうち、前記測定結果、基地局からシグナリングされた絶対しきい値を超えるロー測定結果値を有する第１の隣接セルから、前記第１の隣接セルのロー測定結果値に適用するための測定関連パラメータを受信するステップと、
前記第１の隣接セルのロー測定結果値に前記測定関連パラメータを適用して最終測定結果値を生成するステップと、
前記最終測定結果値によって前記第１の隣接セルのうちいずれか一つにセル選択又はセル再選択を実行する、あるいはサービングセルの基地局に測定レポートを伝送するステップと、
を具備することを特徴とする方法。
【請求項２】
前記隣接セルのうち、前記測定結果、基地局からシグナリングされた絶対しきい値を超えないロー測定結果値を有する第２の隣接セルから測定関連パラメータを受信することなく、前記第２の隣接セルのロー測定結果値に前記測定関連パラメータとして(０)を適用して最終測定結果値を生成するステップをさらに具備することを特徴とする請求項１に記載の方法。
【請求項３】
前記最終測定結果値によって前記第１及び第２の隣接セルのうちいずれか一つにセル選択又はセル再選択を実行する、あるいはサービングセルの基地局に測定レポートを伝送するステップをさらに具備することを特徴とする請求項２に記載の方法。
【請求項４】
前記絶対しきい値は、サービングセルの基地局からシステム情報又は端末専用測定制御メッセージを通じてシグナリングされることを特徴とする請求項１に記載の方法。
【請求項５】
前記隣接セルのうち最大ロー測定結果値を有する第１の隣接セル及び前記第１の隣接セルのロー測定結果値から所定の範囲内でロー測定結果値を有する第２の隣接セルから、前記第１及び第２の隣接セルのロー測定結果値に適用するための測定関連パラメータを受信するステップをさらに具備することを特徴とする請求項１に記載の方法。
【請求項６】
前記第１及び第２の隣接セルのロー測定結果値に前記測定関連パラメータを適用して最終測定結果値を生成するステップをさらに具備することを特徴とする請求項５に記載の方法。
【請求項７】
前記最終測定結果値によって前記第１及び第２の隣接セルのうちいずれか一つにセル選択又はセル再選択を実行する、あるいはサービングセルの基地局に測定レポートを伝送するステップをさらに具備することを特徴とする請求項６に記載の方法。
【請求項８】
前記所定の範囲は、
前記第１の隣接セルのロー測定結果値に基地局からシグナリングされたオフセット値を加算して得られた値と、前記ロー測定結果値からオフセット値を減算して得られた値との間にわたることを特徴とする請求項５に記載の方法。
【請求項９】
前記オフセット値は、
前記測定関連パラメータに含まれる隣接セルのオフセット値のうち最大及び最小オフセット値の一つであることを特徴とする請求項８に記載の方法。
【請求項１０】
移動通信システムにおいて隣接セルに対する測定を実行する装置であって、
隣接セルからの受信信号に対する測定を実行してロー測定結果値を生成する隣接セル管理部と、
前記隣接セルのうち、前記測定結果、基地局からシグナリングされた絶対しきい値を超えるロー測定結果値を有する第１の隣接セルから、前記第１の隣接セルのロー測定結果値に適用するための測定関連パラメータを受信するしきい値管理部と、
前記第１の隣接セルのロー測定結果値に前記測定関連パラメータを適用して最終測定結果値を生成する測定部と、
前記最終測定結果値によって前記第１の隣接セルのうちいずれか一つにセル選択又はセル再選択を実行するセル選択決定部と、
サービングセルの基地局に測定レポートを伝送する測定レポート部と、
を含むことを特徴とする装置。
【請求項１１】
前記測定部は、
前記隣接セルのうち、前記測定結果、基地局からシグナリングされた絶対しきい値を超えないロー測定結果値を有する第２の隣接セルから測定関連パラメータを受信せず、前記第２の隣接セルのロー測定結果値に前記測定関連パラメータとして(０)を適用して最終測定結果値を生成することを特徴とする請求項１０に記載の装置。
【請求項１２】
前記セル選択決定部は、
前記最終測定結果値によって前記第１及び第２の隣接セルのうち、いずれか一つにセル選択又はセル再選択を実行することを特徴とする請求項１１に記載の装置。
【請求項１３】
前記サービングセルの基地局からシステム情報又は端末専用測定制御メッセージを通じて前記絶対しきい値をシグナリングする送受信部をさらに含むことを特徴とする請求項１０に記載の装置。
【請求項１４】
前記隣接セル管理部は、
前記隣接セルのうち最大ロー測定結果値を有する第１の隣接セル及び前記第１の隣接セルのロー測定結果値から所定の範囲内でロー測定結果値を有する第２の隣接セルから、前記第１及び第２の隣接セルのロー測定結果値に適用するための測定関連パラメータを受信することを特徴とする請求項１０に記載の装置。
【請求項１５】
前記測定部は、
前記第１及び第２の隣接セルのロー測定結果値に前記測定関連パラメータを適用して最終測定結果値を生成することを特徴とする請求項１４に記載の装置。
【請求項１６】
前記セル選択決定部は、
前記最終測定結果値によって前記第１及び第２の隣接セルのうちいずれか一つにセル選択又はセル再選択を実行することを特徴とする請求項１５に記載の装置。
【請求項１７】
前記隣接セル管理部は、
前記第１の隣接セルのロー測定結果値に前記基地局からシグナリングされたオフセット値を加算して得られた値と、前記ロー測定関連パラメータからのオフセット値を減算して得られた値との間にわたる前記所定範囲内に前記ロー測定結果値を有する前記第２の隣接セルから、測定関連パラメータを受信することを特徴とする請求項１４に記載の装置。
【請求項１８】
前記隣接セル管理部は、
前記測定関連パラメータに含まれる隣接セルのオフセット値のうち、最大及び最小オフセット値の一つである前記オフセット値を用いることを特徴とする請求項１７に記載の装置。
【請求項１９】
移動通信システムにおいて隣接セルを管理する方法であって、
前記隣接セルに対するロー測定結果値を管理するステップと、
前記ロー測定結果値を考慮して絶対しきい値又は最大及び最小オフセット値のうち一つを設定するステップと、
前記設定された絶対しきい値又は最大及び最小オフセット値を含むシステム情報を有するメッセージ、又は端末専用測定制御メッセージを生成するステップと、
を具備することを特徴とする方法。
【請求項２０】
移動通信システムにおいて隣接セルを管理する装置であって、
前記隣接セルに対するロー測定結果値を管理する隣接セル管理部と、
前記ロー測定結果値を考慮して絶対しきい値又は最大及び最小オフセット値を設定するしきい値設定部と、
前記設定された絶対しきい値又は最大及び最小オフセット値を含むシステム情報を有するメッセージ、又は端末専用測定制御メッセージを生成するメッセージ生成部と、
を含むことを特徴とする装置。
【発明の詳細な説明】
【技術分野】
【０００１】
本発明は移動通信システムに関するもので、特にセル選択又はセル再選択及びハンドオーバーのために隣接セルに対する測定を実行する方法及び装置に関する。
【背景技術】
【０００２】
ＵＭＴＳ(Universal Mobile Telecommunication Service)システムは、ヨーロッパ式移動通信システムであるＧＳＭ(Global System for Mobile communication)とＧＰＲＳ(General Packet Radio Service)に基づき、広帯域符号分割多重アクセス(Wideband Code Division Multiple Access：以下、“Ｗ-ＣＤＭＡ”と称する)を使用する第３世代非同期移動通信システムである。ＵＭＴＳ標準化を担当している３ＧＰＰ(3rd Generation Partnership Project)において、ＬＴＥ(Long Term Evolution)システムは、現在ＵＭＴＳシステムの次世代移動通信システムとして論議中である。ＬＴＥは、２０１０年頃の商用化を目標として、最大１００Ｍｂｐｓ程度の伝送速度を有する高速パケット基盤の通信を実現する技術である。このために、いろいろな方案が論議されており、例えば、ネットワークの構造を単純化して通信経路に位置するノードの数を減少させる方式、及び無線プロトコルを最大限無線チャンネルに近接させる方式などが含まれる。
【０００３】
図１は、次世代ＵＭＴＳ移動通信システムの構成を一例として示す。
【０００４】
図１を参照すると、次世代ＵＭＴＳ無線アクセスネットワーク(Ｅ-ＵＴＲＡＮ又はＥ-ＲＡＮ)１１０は、次世代基地局(evolved Node B：以下、“ｅＮＢ”と称する)１２０，１２２，１２４，１２６，１２８とアンカー(anchor)ノード１３０，１３２の２ノード構成で簡略化される。端末として知られているユーザー端末(ＵＥ)１０１は、Ｅ-ＲＡＮ１１０，１１２によってインターネットプロトコル(ＩＰ)ネットワークにアクセスされる。ＵＭＴＳシステムのレガシーＮｏｄｅ  Ｂに対応するｅＮＢ１２０〜１２８は、無線チャンネルを通じてＵＥ１０１に接続される。
【０００５】
レガシーＮｏｄｅ  Ｂに比べて、ｅＮＢ１２０〜１２８は、より複雑な機能を実行する。ＬＴＥでは、ＶｏＩＰ(Voice over IP)のようなリアルタイムサービスを含む、すべてのユーザートラフィックが共有チャンネルを通じてサービスされるため、スケジューリングを実行するようにＵＥの状態情報を集める装置が必要であり、ｅＮＢ１２０〜１２８はその装置としての役割をする。一般的に、一つのｅＮＢは複数のセルを制御する。また、ｅＮＢは、ＵＥのチャンネル状態に従って変調方式及びチャンネル符号化率を適応的に決定する適応変調符号化(Adaptive Modulation & Coding：以下、“ＡＭＣ”と称する）を実行する。
【０００６】
ＵＭＴＳのＨＳＤＰＡ(High Speed Downlink Packet Access)、ＨＳＵＰＡ(High Speed Uplink Packet Access)、及び/又はＥ-ＤＣＨ(Enhanced Dedicated Channel)サービスのように、ハイブリッド自動再送要求(Hybrid Automatic Repeat reQuest：ＨＡＲＱ)は、ＬＴＥでもｅＮＢ１２０〜１２８とＵＥ１０１との間で実行され、多様なサービス品質(ＱｏＳ）の要求をＨＡＲＱのみでは満足できないので、上位階層の外側(outer)ＡＲＱは、ＵＥ１０１とｅＮＢ１２０〜１２８との間で実行されることが可能である。ＨＡＲＱは、以前に受信されたデータを廃棄せずに再伝送されたデータとソフトコンバイニングすることで受信成功率を高める技術であって、ＨＳＤＰＡ及びＥＤＣＨサービスのような高速パケット通信で伝送効率を増加させるために使用される。最大１００Ｍｂｐｓの伝送速度を実現するために、ＬＴＥは、２０ＭＨｚの帯域幅で直交周波数分割多重(ＯＦＤＭ）方式を無線アクセス技術として使用すると予想される。
【０００７】
このような次世代移動通信システムにおいて、セル選択又はセル再選択とハンドオーバーのために隣接セルに対する測定方式が必要とされている。
【発明の概要】
【発明が解決しようとする課題】
【０００８】
したがって、上記した従来技術の問題点を解決するために、本発明の目的は、セル選択又はセル再選択とハンドオーバーのために隣接セルに対する測定を実行して測定遅延を低減させる方法及び装置を提供することにある。
【０００９】
本発明の他の目的は、ＵＥの複雑度を増加することなく測定遅延を低減させる方法及び装置を提供することにある。
【課題を解決するための手段】
【００１０】
上記のような目的を達成するために、本発明の一態様によれば、移動通信システムにおける隣接セルに対する測定を実行する方法であって、隣接セルからの受信信号に対する測定を実行することによってロー測定結果値を生成するステップと、隣接セルのうち、測定結果、基地局からシグナリングされた絶対しきい値を超えるロー測定結果値を有する第１の隣接セルから、第１の隣接セルのロー測定結果値に適用されるための測定関連パラメータを受信するステップと、第１の隣接セルのロー測定結果値に測定関連パラメータを適用して最終測定結果値を生成するステップと、最終測定結果値によって第１の隣接セルのうちいずれか一つにセル選択又はセル再選択を実行し、あるいはサービングセルの基地局に測定レポートを伝送するステップとを具備することを特徴とする。
【００１１】
本発明の他の態様によれば、移動通信システムにおける隣接セルに対する測定を実行する装置であって、隣接セルからの受信信号に対する測定を実行してロー測定結果値を生成する隣接セル管理部と、隣接セルのうち、測定結果、基地局からシグナリングされた絶対しきい値を超えるロー測定結果値を有する第１の隣接セルから、第１の隣接セルのロー測定結果値に適用されるための測定関連パラメータを受信するしきい値管理部と、第１の隣接セルのロー測定結果値に測定関連パラメータを適用して最終測定結果値を生成する測定部と、最終測定結果値によって第１の隣接セルのうちいずれか一つにセル選択又はセル再選択を実行するセル選択決定部と、サービングセルの基地局に測定レポートを伝送する測定レポート部とを含むことを特徴とする。
【００１２】
また、本発明の他の態様によれば、移動通信システムにおける隣接セルを管理する方法であって、隣接セルに対するロー測定結果値を管理するステップと、ロー測定結果値を考慮して絶対しきい値又は最大及び最小オフセット値のうち一つを設定するステップと、設定された絶対しきい値又は最大及び最小オフセット値を含むシステム情報を有するメッセージ、又は端末専用測定制御メッセージを生成するステップとを具備することを特徴とする。
【００１３】
さらに、本発明の他の態様によれば、移動通信システムにおける隣接セルを管理する装置であって、隣接セルに対するロー測定結果値を管理する隣接セル管理部と、ロー測定結果値を考慮して絶対しきい値又は最大及び最小オフセット値を設定するしきい値設定部と、設定された絶対しきい値又は最大及び最小オフセット値を含むシステム情報を有するメッセージ、又は端末専用測定制御メッセージを生成するメッセージ生成部とを含むことを特徴とする。
【発明の効果】
【００１４】
本発明は、ラジオ強度が特定の絶対しきい値を超過する隣接セルのみに対して測定関連パラメータを適用して測定を実行し、それによって測定遅延を短縮させることができる。また、本発明は、測定結果値が測定関連パラメータを適用しても特定範囲内に存在する隣接セルのみに対して測定を実行し、それによって測定遅延を減少させることができる。したがって、本発明は、セル選択又はセル再選択とハンドオーバーのために隣接セルに対する測定を実行することにおいて、ＵＥの複雑度を増加させず、かつ測定遅延を低減させる効果がある。
【図面の簡単な説明】
【００１５】
【図１】次世代ＵＭＴＳ移動通信システムの構成例を示す図である。
【図２】移動通信システムにおけるセル(再)選択及びハンドオーバーのための隣接セルに対する測定動作を示すフローチャートである。
【図３】本発明の第１の実施形態によるセル(再)選択及びハンドオーバーのための隣接セルに対する測定動作のメッセージフローを示す図である。
【図４】本発明の第１の実施形態によるｅＮＢの動作を示すフローチャートである。
【図５】本発明の第１の実施形態によるＵＥの動作を示すフローチャートである。
【図６】本発明の第２の実施形態によるセル(再)選択及びハンドオーバーのための隣接セルに対する測定動作のメッセージフローを示す図である。
【図７】本発明の第２の実施形態によるｅＮＢの動作を示すフローチャートである。
【図８】本発明の第２の実施形態によるＲＲＣアイドルモードＵＥの動作を示すフローチャートである。
【図９】本発明の第２の実施形態によるＲＲＣ接続モードのＵＥ動作を示すフローチャートである。
【図１０】本発明の好ましい実施形態によるｅＮＢ装置を示すブロック構成図である。
【図１１】本発明の好ましい実施形態によるＵＥ装置を示すブロック構成図である。
【発明を実施するための形態】
【００１６】
以下、本発明の望ましい実施形態を添付の図面を参照して詳細に説明する。
【００１７】
下記の説明で、本発明に関連した公知の機能又は構成に関する具体的な説明が本発明の要旨を不明にすると判断された場合に、その詳細な説明を省略する。また、後述する用語は、本発明の機能を考慮して定義されたものであって、ユーザー、運用者の意図、又は慣例によって変わることができる。したがって、上記用語は、本明細書の全体内容に基づいて定義されなければならない。
【００１８】
以下、本発明は、３ＧＰＰ  ＵＭＴＳシステムから進化した３ＧＰＰ  ＬＴＥシステムを一例として説明するが、他の移動通信システムにも特別な変更なしに適用可能である。
【００１９】
本発明によると、ＵＥは、検出された隣接セルのうち、ラジオ強度が特定しきい値を超える良好なラジオチャンネルを有する隣接セルのみに対して、Ｐ-ＢＣＨ(Primary Broadcast Channel)を通じて測定関連パラメータを受信して測定に適用する。あるいは、ＵＥは、Ｐ-ＢＣＨを通じて伝送される測定関連パラメータを除いたパラメータの測定結果、最も良いラジオチャンネルを有する隣接セルと、その隣接セルから特定しきい値の範囲内のラジオ強度を有する隣接セルのみに対してＰ-ＢＣＨを通じて測定関連パラメータを受信して測定に適用する。このようにして、ＵＥは、検出された隣接セルのＰ-ＢＣＨ信号を受信する代わりに、有効な隣接セルのみに対してＰ-ＢＣＨ信号を受信する。この場合、ＵＥは、Ｐ-ＢＣＨを通じて伝送される測定関連パラメータを除いたパラメータの測定結果、最も良いラジオチャンネルを有する隣接セルに対して優先的にＰ-ＢＣＨを通じて測定関連パラメータを受信して適用し、その後、測定関連パラメータが適用された測定結果値に比べて特定のしきい値範囲内の測定結果値を有する隣接セルのみに対してＰ-ＢＣＨを通じて測定関連パラメータを受信して該当隣接セルに対する測定に適用する。ここで、しきい値は、システム情報又はＵＥ専用測定制御メッセージを通じてｅＮＢからＵＥに伝送され、あるいは単一値(single  value)としてＵＥにハード符号化されることが可能である。
【００２０】
図２は、本発明が適用される次世代移動通信システムにおけるセル(再）選択とハンドオーバーのための隣接セルに対する測定動作を概略的に示すフローチャートである。
【００２１】
図２を参照すると、ステップ２１１で、ＵＥは、セル識別のためのすべての同期チャンネル(Sync Channel：ＳＣＨ）信号に対して測定/検出を実行する。すなわち、ＵＥは、その近辺にどんなセルが存在するか否かを検出する。ステップ２２１で、ＵＥは、検出されたすべての隣接セルに対してＰ-ＢＣＨを通じてＰ-ＢＣＨ信号を受信し、このＰ-ＢＣＨ信号から各セルに対する測定関連パラメータを受信する。ステップ２３１で、ＵＥは、測定関連パラメータを該当隣接セルのラジオチャンネル状態に対する測定結果値に適用し、検出された隣接セルに対してランク(優先順位)を割り当てることによってランク(優先順位)付けを実行する。ステップ２４１で、ＵＥは、最高ランクのセルからアクセスできると、該当セルにセル選択又はセル再選択を実行する。このとき、測定レポートは、ＵＥの状態に従って必要であれば、ｅＮＢに伝送されることが可能である。例えば、ラジオリソース制御(ＲＲＣ)アイドルモードＵＥ(すなわち、ＲＲＣアイドルモードでのＵＥ)は、セル再選択を実行し、ＲＲＣ接続モードＵＥ(すなわち、ＲＲＣ接続モードでのＵＥ)は、必要であれば測定レポートを実行する。
【００２２】
ここで使用される‘測定関連パラメータ’は、各隣接セルに対する測定手順を完了するために該当隣接セルの測定に反映される値を意味し、その例としてＱｏｆｆｓｅｔを含む。このＱｏｆｆｓｅｔは、セル間のロードバランス、及びアップリンクとダウンリンクチャンネル状態間の差に対する補正の目的でセル間に異なる値が設定されることができ、これらは測定に適用されてラジオチャンネル状態の測定結果値に対する補正値として使用される。例えば、セルＡのラジオチャンネルに対する測定結果値がセルＢの場合よりも良好であっても、セルＢのＱｏｆｆｓｅｔが、測定結果値間の差でセルＡのＱｏｆｆｓｅｔより大きい(又は小さい)と、セルＢは、セル(再）選択のためにセルＡよりも高いランクを有する。Ｑｏｆｆｓｅｔは、３ＧＰＰ標準２５.３３１、２５.３０４で与えられた定義に従う。
【００２３】
上記のように動作する典型的な移動通信システムにおいて、ＵＥは、隣接セルの測定を実行するためにすべての検出された隣接セルに対してＰ-ＢＣＨ信号を受信しなければならないので、測定に対する遅延が増加してしまう。この遅延を減少させるために、ＵＥが同時に受信しなければならない隣接セルのＰ-ＢＣＨ信号の個数が増加するため、ＵＥの複雑度が増加するようになる。
【００２４】
これに関連して、本発明は、測定に対する遅延を減少させる方式を提案する。また、本発明は、ＵＥの複雑度を増加させずに測定を実行する方式を提案する。
【００２５】
＜第１の実施形態＞
図３は、本発明の第１の実施形態によるセル(再）選択とハンドオーバーのための隣接セルに対する測定動作のメッセージフローを示す。参照符号３０１はＵＥを表し、参照符号３０３は、ＵＥ３０１が現在位置しているセルを表し、あるいはＵＥ３０１のためにサービスを提供するサービングセルを制御するｅＮＢを表す。
【００２６】
図３を参照すると、ステップ３１１で、ｅＮＢは、システム情報又はＵＥ専用測定制御メッセージをＵＥに伝送する。ＵＥは、システム情報又はＵＥ専用測定制御メッセージから、測定に適用される隣接セルのラジオチャンネル状態に対する絶対しきい値Ｔｈｒｅｓｈｏｌｄ_Ｐ-ＢＣＨ_ｒｅａｄｉｎｇ(検出された隣接セルのＰ-ＢＣＨを読み取るためのしきい値)を獲得する。ステップ３２１で、ＵＥは、検出された隣接セルのうち、Ｑｏｆｆｓｅｔの適用前に与えられたラジオチャンネル状態を示す測定結果値が絶対しきい値Ｔｈｒｅｓｈｏｌｄ_Ｐ-ＢＣＨ_ｒｅａｄｉｎｇを超過する隣接セルのみに対してＰ-ＢＣＨを通じて測定関連パラメータを獲得する。ここでは、Ｐ-ＢＣＨを通じて伝送される測定関連パラメータの代表的なものとしてＱｏｆｆｓｅｔのみを言及する。ステップ３２３で、ＵＥは、Ｑｏｆｆｓｅｔを該当隣接セルの測定結果値に適用し、その結果値に従って隣接セルのランク付けをし、ランク付けられた結果によってセル選択又はセル再選択のターゲット隣接セルを選択する。
【００２７】
図３には隣接セルに適用される絶対しきい値が明示的にシグナリングされているが、絶対しきい値は、他の実施形態で、固定値としてＵＥにハード符号化され、あるいは暗黙的な規則によって決定されることが可能である。例えば、３ＧＰＰシステムは、ＵＥがセルを選択するために満足させなければならない最小ラジオチャンネル条件を示すＳ_ｃｒｉｔｅｒｉａを使用する。ＵＥは、検出された隣接セルのうち、ラジオチャンネル強度がＳ_ｃｒｉｔｅｒｉａを超える隣接セルのみに対してＰ-ＢＣＨを通じて測定関連パラメータを獲得する。より詳しいＳ_ｃｒｉｔｅｒｉａについては、３ＧＰＰスペック(specification)２５．３０４を参照する。
【００２８】
図４は、本発明の第１の実施形態によるｅＮＢの動作を示すフローチャートである。
【００２９】
図４を参照すると、ステップ４０１で、ｅＮＢは、システム情報又はＵＥ専用測定制御メッセージを生成する。ステップ４１１で、ｅＮＢは、絶対しきい値Ｔｈｒｅｓｈｏｌｄ_Ｐ-ＢＣＨ_ｒｅａｄｉｎｇを設定する。ステップ４２１で、ｅＮＢは、絶対しきい値Ｔｈｒｅｓｈｏｌｄ_Ｐ-ＢＣＨ_ｒｅａｄｉｎｇをシステム情報又はＵＥ専用測定制御メッセージに載せてＵＥに伝送する。
【００３０】
図５は、本発明の第１の実施形態によるＵＥの動作を示すフローチャートである。
【００３１】
図５を参照すると、ステップ５１１で、ＵＥは、セル識別に使用されるすべてのＳＣＨ信号に対して測定/検出を実行する。すなわち、ＵＥは、その近辺にどんなセルが存在するか否かを検出する。ステップ５２１で、ＵＥは、検出されたすべての隣接セルに対して、Ｑｏｆｆｓｅｔの適用前に測定されたラジオチャンネル状態を示す測定結果値が絶対しきい値Ｔｈｒｅｓｈｏｌｄ_Ｐ-ＢＣＨ_ｒｅａｄｉｎｇを超えるか否かを判定する。検出された第１の隣接セルの測定結果値が絶対しきい値を超えていると、ＵＥは、ステップ５３１に進行し、第１の隣接セルからＰ-ＢＣＨを通じて測定関連パラメータＱｏｆｆｓｅｔを受信する。しかしながら、検出された第２の隣接セルの測定結果値が絶対しきい値を超えていないと、ＵＥは、ステップ５３３に進行し、第２の隣接セルからＰ-ＢＣＨ信号を受信しない。したがって、第２の隣接セルの測定関連値は、第２の隣接セルの測定結果値に適用されない。検出されたすべての隣接セルに対してステップ５２１，５３１，５３３を実行した後に、ＵＥは、標準又はシステム設計者の選択によってステップ５４１〜５６５又はステップ５７１〜５７３を実行する。
【００３２】
ステップ５４１で、ＵＥは、検出された隣接セルのＱｏｆｆｓｅｔ適用前測定結果値(すなわち、ロー(raw)測定結果値）を絶対しきい値と比較し、絶対しきい値を超過する測定結果値を有する少なくとも一つの第１の隣接セルがあるか否かをチェックする。ここで使用される‘ロー測定結果値’は、隣接セルのＰ-ＢＣＨを通して獲得されたＱｏｆｆｓｅｔが適用される前に与えられた測定結果値を意味する。絶対しきい値を超過する測定結果値を有する第１の隣接セルがないと、ＵＥは、ステップ５６１に進行して、検出されたすべての隣接セルに対してＰ-ＢＣＨを通じて測定関連パラメータＱｏｆｆｓｅｔを受信する。ステップ５６３で、ＵＥは、Ｑｏｆｆｓｅｔを該当隣接セルの測定に適用して隣接セルのランクを付ける。ＵＥは、ステップ５６５で、ステップ５６３の測定結果によって動作する。すなわち、ＵＥは、ＲＲＣアイドルモードでは、最高ランクのセルからアクセス可能であると、セル(再）選択を実行し、ＲＲＣ接続モードでは、必要であれば、ｅＮＢに測定レポートを伝送する。測定レポートは、現在セル又は隣接セルに対する測定結果値のｅＮＢに知らせるために使用され、ラジオチャンネルのロー測定結果値又はＱｏｆｆｓｅｔが適用される測定結果値が含まれる。ここで使用される‘ロー測定結果値’は、Ｑｏｆｆｓｅｔが適用されない測定結果値を意味する。
【００３３】
しかしながら、絶対しきい値を超過する測定結果値を有する第１の隣接セルが存在すると、ＵＥは、ステップ５５１に進行してステップ５３１で獲得した測定関連パラメータを第１の隣接セルの測定に適用し、第１の隣接セルのランクを付ける。ＵＥは、ステップ５５３で、第１の隣接セルに対して測定関連パラメータを適用して得られた測定結果によって動作する。すなわち、ＵＥは、ＲＲＣアイドルモードで、最高ランクのセルからアクセス可能であると、セル(再）選択を実行し、ＲＲＣ接続モードでは、必要であれば、ｅＮＢに測定レポートを伝送する。ステップ５５３，５６５のランク付け過程では、Ｑｏｆｆｓｅｔが適用されるより大きい測定結果値を有するセルは、より高いランクが割り当てられる。ステップ５５５で、ＵＥは、ステップ５５３で、アクセス可能なセルが存在しないと、ステップ５６１に進行する。
【００３４】
ステップ５７１〜５７３は、ＵＥがステップ５４１〜５６５の代わりに実行できる他の実施形態に該当する。ステップ５７１で、ＵＥは、測定関連パラメータを検出された隣接セルの測定に適用する。ＵＥが検出された隣接セルの測定結果値が絶対しきい値Ｔｈｒｅｓｈｏｌｄ_Ｐ-ＢＣＨ_ｒｅａｄｉｎｇによって制限されてＱｏｆｆｓｅｔを獲得していない場合に、ＵＥは、該当隣接セル(すなわち、第２の隣接セル）のＱｏｆｆｓｅｔを０値に設定し、第２の隣接セルの測定結果値に適用する。ステップ５７３で、ＵＥは、ステップ５７１の測定結果によって動作する。すなわち、ＵＥは、ＲＲＣアイドルモードで、測定結果値が大きい順序で最高ランクのセルからアクセスできると、セル(再）選択を実行し、ＲＲＣ接続モードでは、必要であれば、ｅＮＢに測定レポートを伝送する。
【００３５】
＜第２の実施形態＞
図６は、本発明の第２の実施形態によるセル(再）選択とハンドオーバーのための隣接セルに対する測定動作のメッセージフローを示す。参照符号６０１はＵＥを表し、参照符号６０３は、ＵＥ６０１が現在位置したセルを表し、あるいはＵＥ６０１のためにサービスを提供するサービングセルを制御するｅＮＢを表す。
【００３６】
図６を参照すると、ｅＮＢは、ステップ６１１で、システム情報又はＵＥ専用測定制御メッセージをＵＥに伝送する。ＵＥは、システム情報又はＵＥ専用測定制御メッセージに基づき、測定に適用する隣接セルのラジオチャンネル状態に対する相対しきい値を獲得する。ここで、使用される‘相対しきい値’は、最大測定結果値を有する隣接セルの相対的しきい値を意味し、‘最大測定結果値’は、Ｑｏｆｆｓｅｔの適用前測定結果値、すなわちロー測定結果値を意味する。しかし、比較される測定結果値は、該当隣接セルＱｏｆｆｓｅｔを適用する前の測定結果値、又はＱｏｆｆｓｅｔの適用後測定結果値となり得る。これらは、例えばＱｏｆｆｓｅｔの適用前測定結果値が最も良い隣接セルのＱｏｆｆｓｅｔに基づき、他の隣接セルの測定結果値と比較するために使用される。すなわち、上記システム情報又はＵＥ専用測定制御メッセージにおいて、隣接セルのＱｏｆｆｓｅｔのうち最大/最小Ｑｏｆｆｓｅｔは、相対しきい値として含まれる。この場合に、最大Ｑｏｆｆｓｅｔ又は最小Ｑｏｆｆｓｅｔは、Ｑｏｆｆｓｅｔが測定に適用される方法によって含まれることができる。
ケース１)  Ｑｏｆｆｓｅｔ適用前測定結果＋Ｑｏｆｆｓｅｔ
ケース２)  Ｑｏｆｆｓｅｔ適用前測定結果−Ｑｏｆｆｓｅｔt
【００３７】
ＵＥが、ケース１）のようにＱｏｆｆｓｅｔを測定に適用すると、隣接セルのＱｏｆｆｓｅｔのうち最大Ｑｏｆｆｓｅｔは、ステップ６１１で伝送される。一方、ＵＥがケース２）のようにＱｏｆｆｓｅｔを測定に適用すると、隣接セルのＱｏｆｆｓｅｔのうち最小Ｑｏｆｆｓｅｔは、ステップ６１１で伝送される。
【００３８】
ステップ６２１で、ＵＥは、Ｑｏｆｆｓｅｔ適用前の最大測定結果値、すなわち最大ロー測定結果値を有する第１のセル、及びこの第１のセルから受信された最大/最小Ｑｏｆｆｓｅｔの絶対値範囲内にＱｏｆｆｓｅｔ適用前の測定結果値を有する第２の隣接セルのみに対してＰ-ＢＣＨ信号を受信して、Ｑｏｆｆｓｅｔを獲得する。このとき、Ｑｏｆｆｓｅｔ適用前の測定結果値、又はＱｏｆｆｓｅｔ適用後の測定結果値は、最大/最小Ｑｏｆｆｓｅｔの絶対値が適用される最良のラジオチャンネル状態を有するセルの測定結果値として使用することができる。
【００３９】
例えば、ＵＥによって検出される隣接セル及びサービングセルのｅＮＢから受信された最大/最小Ｑｏｆｆｓｅｔは、下記のようであると仮定する。
セルＡ：Ｑｏｆｆｓｅｔ適用前ラジオチャンネル状態に対する測定結果値３ｄＢ
セルＢ：Ｑｏｆｆｓｅｔ適用前ラジオチャンネル状態に対する測定結果値２ｄＢ
セルＣ：Ｑｏｆｆｓｅｔ適用前ラジオチャンネル状態に対する測定結果値１.５ｄＢ
セルＤ：Ｑｏｆｆｓｅｔ適用前ラジオチャンネル状態に対する測定結果値０.５ｄＢ
セルＥ：Ｑｏｆｆｓｅｔ適用前ラジオチャンネル状態に対する測定結果値-１ｄＢ
最大/最小Ｑｏｆｆｓｅｔ：-２ｄＢ
【００４０】
セルＡは、最大ロー測定結果値を有し、セルＢ及びセルＣは、最大/最小Ｑｏｆｆｓｅｔの絶対値範囲(２ｄＢ)内に存在するので、ＵＥは、セルＡ，セルＢ、及びセルＣのみに対して、Ｐ-ＢＣＨを通じて該当セルのＱｏｆｆｓｅｔを獲得して該当セルの測定に適用する。
【００４１】
他の実施形態において、ＵＥは、最大ロー測定結果値を有するセルＡのみに対して優先的にＱｏｆｆｓｅｔを獲得してセルＡの測定に適用し、その後にセルＡのＱｏｆｆｓｅｔ適用後の測定結果に対して最大/最小Ｑｏｆｆｓｅｔ間の絶対値範囲内の測定結果値を有する隣接セルのみに対して、Ｐ-ＢＣＨを通じて各セルのＱｏｆｆｓｅｔを獲得して該当セルの測定に適用する。
【００４２】
例えば、セルＡのＱｏｆｆｓｅｔが−１.５ｄＢである場合に、ケース２)によってセルＡのロー測定結果値に適用して得られたセルＡのＱｏｆｆｓｅｔ適用後測定結果は４.５ｄＢである。４.５ｄＢに基づいて最大/最小Ｑｏｆｆｓｅｔ間の絶対値範囲６.５ｄＢ(＝４.５ｄＢ＋２ｄＢ)〜２．５ｄＢ(＝４.５ｄＢ−２ｄＢ)内に存在する測定結果値を有する他の隣接セルはないため、ＵＥは、セルＡのみからＰ-ＢＣＨを通じてＱｏｆｆｓｅｔを受信する。計算の便宜のために、範囲は、４.５ｄＢ〜２.５ｄＢとなり得る。これは、最大測定結果値が４.５ｄＢのためである。
【００４３】
Ｑｏｆｆｓｅｔ適用後の最大測定結果値を有するセルが、上記した２つの方法でセル(再）選択のためにアクセス不可能である場合に、ＵＥは、第２の最良のラジオチャンネル状態を有するセルに対して上記手順を再実行する。この場合に、ＵＥは、既に獲得されたＱｏｆｆｓｅｔを有するセルに対して予め獲得されたＱｏｆｆｓｅｔを再使用でき、それによってＰ-ＢＣＨ信号を再受信する必要がない。２つの方法については、例として説明する。
【００４４】
ステップ６２３で、ＵＥは、Ｐ-ＢＣＨを通じて受信されたＱｏｆｆｓｅｔを該当隣接セルの測定に適用して、検出された隣接セルをランク付けする。
【００４５】
図７は、本発明の第２の実施形態によるｅＮＢの動作を示すフローチャートである。
【００４６】
図７を参照すると、ｅＮＢは、ステップ７０１で、システム情報又はＵＥ専用測定制御メッセージを構成する。ステップ７１１で、ｅＮＢは、隣接セルのＱｏｆｆｓｅｔのうち最大/最小Ｑｏｆｆｓｅｔをシステム情報又はＵＥ専用測定制御メッセージの相対しきい値Ｍａｘｉｍｕｍ_Ｑｏｆｆｓｅｔ_ＮｅｉｇｈｂｏｒｉｎｇＣｅｌｌｓとして設定する。このとき、最大Ｑｏｆｆｓｅｔ又は最小Ｑｏｆｆｓｅｔは、Ｑｏｆｆｓｅｔが測定に適用される方法に従ってＭａｘｉｍｕｍ_Ｑｏｆｆｓｅｔ_ＮｅｉｇｈｂｏｒｉｎｇＣｅｌｌｓとして設定される。
ケース１)  Ｑｏｆｆｓｅｔ適用前(ロー)測定結果＋Ｑｏｆｆｓｅｔ
ケース２）  Ｑｏｆｆｓｅｔ適用前(ロー)測定結果−Ｑｏｆｆｓｅｔ
【００４７】
Ｑｏｆｆｓｅｔがケース１）のように測定に適用されると、隣接セルのＱｏｆｆｓｅｔのうち最大Ｑｏｆｆｓｅｔは、Ｍａｘｉｍｕｍ_Ｑｏｆｆｓｅｔ_ＮｅｉｇｈｂｏｒｉｎｇＣｅｌｌｓとして設定される。一方、Ｑｏｆｆｓｅｔがケース２)のように測定に適用されると、隣接セルのＱｏｆｆｓｅｔのうち最小Ｑｏｆｆｓｅｔは、Ｍａｘｉｍｕｍ_Ｑｏｆｆｓｅｔ_ＮｅｉｇｈｂｏｒｉｎｇＣｅｌｌｓとして設定される。ステップ７２１で、ｅＮＢは、Ｍａｘｉｍｕｍ_Ｑｏｆｆｓｅｔ_ＮｅｉｇｈｂｏｒｉｎｇＣｅｌｌｓをシステム情報又はＵＥ専用測定制御メッセージに載せて端末に伝送する。
【００４８】
図８は、本発明の第２の実施形態によるＲＲＣアイドルモードＵＥの動作を示すフローチャートである。ＲＲＣアイドルモードでは、ＵＥは、ネットワークからの命令なしに測定結果によってセル間を移動する。
【００４９】
図８を参照すると、ＵＥは、ステップ８１１で、セル識別のために使用されるすべてのＳＣＨ信号に対して測定/検出を実行する。すなわち、ＵＥは、その近辺にどんなセルが存在するか否かを検出する。ステップ８１３で、ＵＥは、検出されたセルのＱｏｆｆｓｅｔ適用前測定結果値(すなわち、ロー測定結果値)によって良好なラジオチャンネル状態を有するセルの順に隣接セルをランク付ける。ステップ８１５で、ＵＥは、最高ランクのセルを選択する。すなわち、ＵＥは、Ｑｏｆｆｓｅｔ適用前の測定結果値によって、検出されたセルのうち、最良のラジオチャンネル状態を有する第１のセルを選択する。
【００５０】
ステップ８１７で、ＵＥは、ステップ８１５又はステップ８７１で選択された第１のセルからＰ-ＢＣＨ信号を受信し、第１のセルのＱｏｆｆｓｅｔを獲得するために、測定に適用する。この場合に、ＵＥが第１のセルに対して既に獲得されたＱｏｆｆｓｅｔを有すると、Ｐ-ＢＣＨ信号を再受信する必要なしに予め獲得されたＱｏｆｆｓｅｔを再使用できる。ステップ８２１で、ＵＥは、ステップ８１３又は８７１でランク付けられたセルのリストで第１のセルの測定結果値からＭａｘｉｍｕｍ_Ｑｏｆｆｓｅｔ_ＮｅｉｇｈｂｏｒｉｎｇＣｅｌｌｓの絶対値に基づいた所定範囲内に測定結果値を有する検出された第２のセルがあるか否かをチェックする。このとき、Ｍａｘｉｍｕｍ_Ｑｏｆｆｓｅｔ_ＮｅｉｇｈｂｏｒｉｎｇＣｅｌｌｓの絶対値は第１のセルのＱｏｆｆｓｅｔ適用後の測定結果値に適用される。例えば、第１のセルのＱｏｆｆｓｅｔ適用後の測定結果値が３ｄＢであり、Ｍａｘｉｍｕｍ_Ｑｏｆｆｓｅｔ_ＮｅｉｇｈｂｏｒｉｎｇＣｅｌｌｓが２ｄＢであると、ＵＥは、ステップ８２１で、３ｄＢ−[２ｄＢ]＝１ｄＢ以上の測定結果値を有する第２のセルが存在するか否かをチェックする。第１のセルと比較される他のセルの測定結果値は、Ｑｏｆｆｓｅｔ適用前の(ロー)測定結果値である。すなわち、この例では、ＵＥは、Ｑｏｆｆｓｅｔ適用前の測定結果値が１ｄＢ以上である第２のセルが存在するか否かをチェックする。
【００５１】
第２のセルが存在すると、ＵＥは、ステップ８４１に進行し、第１のセルを含む、Ｍａｘｉｍｕｍ_Ｑｏｆｆｓｅｔ_ＮｅｉｇｈｂｏｒｉｎｇＣｅｌｌｓ絶対値による所定範囲内の第２のセルからＰ-ＢＣＨを通じて各セルのＱｏｆｆｓｅｔを獲得する。ＵＥが予め獲得した任意のセルのＱｏｆｆｓｅｔを有する場合に、Ｐ-ＢＣＨ信号を再受信する必要なしに予め獲得されたＱｏｆｆｓｅｔを再使用できる。ＵＥは、ステップ８４３で、獲得されたＱｏｆｆｓｅｔを有する第１及び第２のセルに対して上記Ｑｏｆｆｓｅｔをその測定に適用し、より大きい測定結果値を有するセルの順にランク付けを実行する。
【００５２】
ステップ８４５で、ＵＥは、ステップ８４３でランク付けられたセルのうち最高ランクを有する第３のセルを選択し、第３のセルにアクセス可能であるか否かを判定するために第３のセルからシステム情報を受信する。ＵＥは、ステップ８５１で、第３のセルのシステム情報に基づいて第３のセルにアクセスできるか否かをチェックする。第３のセルにアクセス可能であると、ＵＥは、ステップ８６１に進行し、第３のセルにセル(再）選択を実行する。ここで、第１のセルは、Ｑｏｆｆｓｅｔ適用前の最大測定結果値を有するセルであり、第２のセルは、第１のセルに基づいて所定範囲内の測定結果値を有するセルであり、第３のセルは、Ｑｏｆｆｓｅｔ適用後の測定結果値によって最良のチャンネル状態を有するセルである。したがって、ＵＥは、第３のセルにセル再選択を実行する。しなしながら、第３のセルにアクセス可能でない場合には、ＵＥは、ステップ８７１に進行し、ステップ８４５のセルランク付け過程を経たセルリストから最高ランクを有する第３のセルを除去してセルリストをアップデートし、アップデートされたセルリストから最高ランクセルを選択してステップ８１７に戻る。
【００５３】
一方、ステップ８２１で第２のセルが存在しないと、ＵＥは、ステップ８３１に進行し、第１のセルからシステム情報を受信して第１のセルにアクセスできるか否かをチェックし、ステップ８５１に進行する。
【００５４】
図９は、本発明の第２の実施形態によるＲＲＣ接続モードＵＥの動作を示すフローチャートである。
【００５５】
図９を参照すると、ＵＥは、ステップ９１１で、セル識別のために使用されるすべてのＳＣＨ信号に対して測定/検出を実行する。すなわち、ＵＥは、その近辺にどんなセルが存在するか否かを検出する。ステップ９１３で、ＵＥは、検出されたセルのＱｏｆｆｓｅｔ適用前測定結果値(すなわち、ロー測定結果値)によって良好なラジオチャンネル状態を有するセルの順に隣接セルをランク付ける。ステップ９１５で、ＵＥは、検出されたセルの中から、現在通信中であるサービングセルを選択して、サービングセルのＱｏｆｆｓｅｔをサービングセルの測定に適用する。ステップ９２１で、ＵＥは、ランク付けられたセルの測定結果値にＭａｘｉｍｕｍ_Ｑｏｆｆｓｅｔ_ＮｅｉｇｈｂｏｒｉｎｇＣｅｌｌｓを適用した後に、サービングセルの測定結果値に対して測定レポートしきい値による範囲内の測定結果値を有する第１の隣接セルが存在するか否かをチェックする。この測定レポートしきい値は、測定レポートをトリガーリングできる基準として動作し、例えばサービングセルの測定結果値に対する測定レポートしきい値による範囲内に測定結果値を有する新たなセルが検出された場合、あるいは既存のセルが上記範囲内の測定結果値を有する場合に除去される。
【００５６】
ステップ９２１で第１の隣接セルが存在するとチェックされた場合に、ＵＥは、ステップ９４１に進行し、サービングセルを含む、第１の隣接セルからＰ-ＢＣＨ信号を受信してＱｏｆｆｓｅｔを獲得する。このとき、ＵＥは、予め獲得されたＱｏｆｆｓｅｔを有する隣接セルに対してＰ-ＢＣＨ信号の再受信なしに、予め獲得されたＱｏｆｆｓｅｔを再使用できる。ステップ９４３で、ＵＥは、サービングセル及び第１の隣接セルから獲得されたＱｏｆｆｓｅｔを該当セルの測定に適用し、より大きい測定結果値を有する順にランク付けする。ステップ９４５で、ステップ９４３の測定結果に対する測定レポートがトリガーリングされると、ＵＥは、測定レポートをｅＮＢに伝送する。しなしながら、ステップ９２１でのチェック結果、第１の隣接セルが存在しないと、ＵＥは、ステップ９３１に進行し、イベントベースの測定レポートを実行しない。ここで、‘イベントベースの測定レポート’は、例えば、サービングセル測定結果値に対する測定レポートしきい値の範囲内にある測定結果値を有する新たな隣接セルが検出され、あるいは上記範囲内の測定結果値を有する既存のセルが除去される状況が発生する場合に、これをｅＮＢに知らせるための測定レポートを意味する。
【００５７】
＜装置＞
図１０は、本発明の好ましい実施形態によるｅＮＢ装置を示すブロック構成図である。
【００５８】
図１０を参照すると、参照符号１００１は、ＵＥ又は他のｅＮＢとの通信のための送受信部を表す。この送受信部１００１では、ＵＥとの送受信部とｅＮＢとの送受信部が実質的に相互に異なるエンティティに分けられる。隣接セル管理部１０１１は、送受信部１００１によって隣接したｅＮＢ間の通信を通じて得られる隣接セルに対するＱｏｆｆｓｅｔを維持する。しきい値設定部１０２１は、隣接セル管理部１０１１から提供されるＱｏｆｆｓｅｔに基づき、ＵＥに伝送される絶対しきい値、及び/又は隣接セルのＱｏｆｆｓｅｔのうち最大/最小Ｑｏｆｆｓｅｔを設定する。絶対しきい値の設定は図３〜図５の実施形態に該当し、隣接セルの最大/最小Ｑｏｆｆｓｅｔの設定は図６〜図９の実施形態に該当する。しきい値設定部１０２１によって設定される絶対しきい値又は最大/最小Ｑｏｆｆｓｅｔは、Ｌ３メッセージの生成部１０３１によって、システム情報又はＵＥ専用測定制御メッセージを通じて送受信部１００１を経てＵＥに伝送される。
【００５９】
図１１は、本発明の好ましい実施形態によるＵＥ装置を示すブロック構成図である。
【００６０】
図１１を参照すると、参照符号１１０１は、ｅＮＢと通信するための送受信部を表す。しきい値管理部１１１１は、送受信部１１０１がｅＮＢから受信したシステム情報又はＵＥ専用測定制御メッセージから、絶対しきい値又は隣接セルの最大/最小Ｑｏｆｆｓｅｔを抽出し、隣接セル管理部１１４１は、送受信部１１０１が隣接セルのｅＮＢから受信したＰ-ＢＣＨ信号から隣接セルの測定関連パラメータ、特にＱｏｆｆｓｅｔを抽出する。レポート基準パラメータ管理部１１２１は、送受信部１１０１によってＲＲＣ接続モードＵＥの測定レポートしきい値のようなパラメータ情報を受信する。
【００６１】
測定部１１３１は、上述した実施形態の一つによって、隣接セルのＱｏｆｆｓｅｔとＲＲＣ接続モードＵＥの測定レポートしきい値のようなパラメータ情報に基づいてサービングセル及び隣接セルに対する測定を実行することによって測定結果値を生成し、この測定結果値は、セル選択決定部１１５１でセル(再）選択を決定するために使用され、あるいは測定レポート部１１６１で測定レポートを実行するために使用される。
【００６２】
以上、本発明を具体的な実施形態に関して図示及び説明したが、添付した特許請求の範囲により規定されるような本発明の趣旨及び範囲を外れることなく、形式や細部の様々な変更が可能であることは、当業者には明らかである。
【符号の説明】
【００６３】
５１１  セル識別に使用されるすべてのＳＣＨ信号に対して測定/検出を実行するステップ
５２１  検出されたすべての隣接セルに対して、Ｑｏｆｆｓｅｔ測定関連パラメータの適用前に測定されたラジオチャンネル状態を示す測定結果値が絶対しきい値を超えるか否かを判定するステップ
５３１  第１の隣接セルからＰ-ＢＣＨを通じて測定関連パラメータＱｏｆｆｓｅｔを受信するステップ
５３３  第２の隣接セルからＰ-ＢＣＨ信号を受信しないステップ
５４１  絶対しきい値を超過する測定結果値を有する少なくとも一つの第１の隣接セルがあるか否かをチェックするステップ
５５１  ステップ５３１で獲得した測定関連パラメータを第１の隣接セルの測定に適用し、第１の隣接セルのランクを付けるステップ
５５３  第１の隣接セルに対して測定関連パラメータを適用して得られた測定結果によって動作するステップ
５５５  テップ５５３で、アクセス可能なセルが存在しないと、ステップ５６１に進行するステップ
５６１  検出されたすべての隣接セルに対してＰ-ＢＣＨを通じて測定関連パラメータＱｏｆｆｓｅｔを受信するステップ
５６３  Ｑｏｆｆｓｅｔを該当隣接セルの測定に適用して隣接セルのランクを付けるステップ
５６５  ＲＲＣアイドルモードでは、最高ランクのセルからアクセス可能であると、セル(再）選択を実行し、ＲＲＣ接続モードでは、必要であれば、ｅＮＢに測定レポートを伝送するステップ
５７１  測定関連パラメータを検出された隣接セルの測定に適用するステップ
５７３  ステップ５７１の測定結果によって動作するステップ
【図１】
2010530198.tif 000003
【図２】
2010530198.tif 000004
【図３】
2010530198.tif 000005
【図４】
2010530198.tif 000006
【図５】
2010530198.tif 000007
【図６】
2010530198.tif 000008
【図７】
2010530198.tif 000009
【図８】
2010530198.tif 000010
【図９】
2010530198.tif 000011
【図１０】
2010530198.tif 000012
【図１１】
2010530198.tif 000013
【国際調査報告】
2010530198.tif 000014
2010530198.tif 000015